(57)【要約】【課題】高解像度化のための画素ずらし制御による画像投影装置の内部温度の上昇を抑制する。【解決手段】光源３０からの光を用いて画像を形成するＤＭＤ５５１と、ＤＭＤ５５１を所定範囲内で周期的に変位させる駆動手段と、画像投影装置１の内部温度を検知する温度センサ２８と、温度センサ２８が検知した内部温度に基づいて、駆動手段の駆動量を制御する制御手段と、を備える。【選択図】図５
2017227715.tif 000002
【特許請求の範囲】
【請求項１】
光源からの光を用いて画像を形成する変調素子と、
該変調素子を所定範囲内で周期的に変位させる駆動手段と、
画像投影装置の内部温度を検知する温度検知手段と、
前記温度検知手段が検知した前記内部温度に基づいて、前記駆動手段の駆動量を制御する制御手段と、を備えることを特徴とする画像投影装置。
【請求項２】
前記制御手段は、前記内部温度に基づいて、前記駆動手段の駆動周波数の上限値を制御することを特徴とする請求項１に記載の画像投影装置。
【請求項３】
前記制御手段は、前記内部温度に基づいて、前記駆動手段による前記変調素子の周期的な変位を停止させることを特徴とする請求項１または２に記載の画像投影装置。
【請求項４】
前記駆動手段は、前記変調素子を第１位置と第２位置との間で周期的に往復移動させることを特徴とする請求項１から３までのいずれかに記載の画像投影装置。
【請求項５】
前記駆動手段は、前記変調素子を、基準となる第１位置と、該第１位置から所定方向に移動させた第２位置と、該第２位置から前記所定方向に直交する方向に移動させた第３位置と、該第３位置から前記所定方向の反対方向に移動させた第４位置と、の間で周期的に周回移動させることを特徴とする請求項１から３までのいずれかに記載の画像投影装置。
【請求項６】
前記駆動手段が、前記変調素子を第１位置と第２位置との間で周期的に往復移動させる第１動作モードと、
前記駆動手段が、前記変調素子を、基準となる第１位置と、該第１位置から所定方向に移動させた第２位置と、該第２位置から前記所定方向に直交する方向に移動させた第３位置と、該第３位置から前記所定方向の反対方向に移動させた第４位置と、の間で周期的に周回移動させる第２動作モードと、を備えることを特徴とする請求項１から３までのいずれかに記載の画像投影装置。
【請求項７】
前記制御手段は、前記内部温度に基づいて、
（１）前記第１動作モードおよび前記第２動作モードの双方での前記駆動手段の駆動を許可する
（２）前記第１動作モードでのみ前記駆動手段の駆動を許可する
（３）前記駆動手段による前記変調素子の周期的な変位を停止させる
のいずれかを決定することを特徴とする請求項６に記載の画像投影装置。
【請求項８】
前記駆動手段は、前記変調素子が設けられた可動ユニットを、所定範囲内で周期的に変位させる駆動手段であることを特徴とする請求項１から７までのいずれかに記載の画像投影装置。
【請求項９】
光源からの光を用いて画像を形成する変調素子と、
該変調素子を所定範囲内で周期的に変位させる駆動手段と、
画像投影装置の内部温度を検知する温度検知手段と、を備える画像投影装置の制御方法において、
前記温度検知手段が検知した前記内部温度に基づいて、前記駆動手段の駆動量を制御することを特徴とする画像投影装置の制御方法。
【請求項１０】
光源からの光を用いて画像を形成する変調素子と、
該変調素子を所定範囲内で周期的に変位させる駆動手段と、
画像投影装置の内部温度を検知する温度検知手段と、を備える画像投影装置の制御プログラムにおいて、
コンピュータに、前記温度検知手段が検知した前記内部温度に基づいて、前記駆動手段の駆動量を制御させる処理を実行させることを特徴とする画像投影装置の制御プログラム。
【発明の詳細な説明】
【技術分野】
【０００１】
本発明は、画像投影装置、画像投影装置の制御方法および画像投影装置の制御プログラムに関する。
【背景技術】
【０００２】
パーソナルコンピュータなどの情報処理装置、ＤＶＤプレーヤーなどの映像再生機器、デジタルカメラなどの撮像装置等から送信される画像データに基づいて、光源から照射される光を用いて光学変調素子（変調素子、画像表示素子ともいう）が画像を生成し、生成された画像を複数のレンズ等を含む光学系を通してスクリーン等の被投影面に投影する画像投影装置（プロジェクタ）が知られている。
【０００３】
画像投影装置において投影画像を高解像度化する場合には、光学変調素子の画素密度を上げることが考えられるが、光学変調素子の製造コストが増大することとなる。
【０００４】
これに対し、特許文献１には、光学素子を動かすことによって画素をずらすことで中間画像を作り出し、光学変調素子の画素数を増加させることなく、画素数よりも高い解像度の画像を表示する画像表示装置が開示されている。
【０００５】
ところで、画像投影装置は、装置の内部温度を検知して、検知した内部温度が所定の値を超えないように、冷却ファンなどの冷却手段の駆動量を制御している。例えば、使用環境の影響などにより、装置の内部温度が上昇した場合は、冷却ファンの回転数を上げることで、装置内部の冷却を行う制御がなされる。
【０００６】
特許文献２には、プロジェクタ内部の温度と、冷却機構の駆動時間に基づいて、プロジェクタ内部における所定時間内の温度勾配を算出し、この温度勾配に基づいて、冷却機構の駆動制御状態を変更させることで、使用環境に対応した冷却効率を確保するプロジェクタが開示されている。
【発明の概要】
【発明が解決しようとする課題】
【０００７】
しかしながら、画像投影装置において、画素をずらすために、その一部をシフトさせる制御（画素ずらし制御という）をする際には、そのシフト制御により熱が発生するため、画像投影装置の内部温度が上昇している場合は、さらに内部温度が上昇してしまう。このため、冷却手段の駆動量を大きくする必要がある。このため、例えば、冷却ファンの回転数を上げる必要があり、ファンの回転に起因する動作音が大きくなってしまう。上記特許文献２には、高解像度化のための画素ずらし制御や、画素ずらし制御の際の発熱に対する対応については、開示されていない。
【０００８】
そこで本発明は、高解像度化のための画素ずらし制御による画像投影装置の内部温度の上昇を抑制することができる画像投影装置を提供することを目的とする。
【課題を解決するための手段】
【０００９】
かかる目的を達成するため、本発明に係る画像投影装置は、光源からの光を用いて画像を形成する変調素子と、該変調素子を所定範囲内で周期的に変位させる駆動手段と、画像投影装置の内部温度を検知する温度検知手段と、前記温度検知手段が検知した前記内部温度に基づいて、前記駆動手段の駆動量を制御する制御手段と、を備えるものである。
【発明の効果】
【００１０】
本発明によれば、高解像度化のための画素ずらし制御による画像投影装置の内部温度の上昇を抑制することができる。
【図面の簡単な説明】
【００１１】
【図１】画像投影装置の一実施形態を示す外観斜視図である。
【図２】画像投影装置の側面図であって、被投影面への投影状態を示した図である。
【図３】（Ａ）画像投影装置の外装カバーを外した状態を示す斜視図、（Ｂ）（Ａ）の丸囲み部分の拡大構成図である。
【図４】照明光学系ユニット、投影光学系ユニット、画像表示ユニット、および光源ユニットの断面図である。
【図５】画像投影装置の機能構成を例示するブロック図である。
【図６】画像表示ユニットを例示する斜視図である。
【図７】画像表示ユニットを例示する側面図である。
【図８】固定ユニットを例示する斜視図である。
【図９】固定ユニットを例示する分解斜視図である。
【図１０】固定ユニットによる可動プレートの支持構造について説明する図である。
【図１１】固定ユニットによる可動プレートの支持構造について説明する部分拡大図である。
【図１２】トップカバーを例示する底面図である。
【図１３】可動ユニットを例示する斜視図である。
【図１４】可動ユニットを例示する分解斜視図である。
【図１５】可動プレートを例示する斜視図である。
【図１６】可動プレートが外された可動ユニットを例示する斜視図である。
【図１７】可動ユニットのＤＭＤ保持構造について説明する図である。
【図１８】画素ずらしによる高解像度化（２ｗａｙ方式）を説明する図である。
【図１９】温度センサで検知される内部温度と、画素ずらし制御での動作周波数の上限値との関係を示す表である。
【図２０】内部温度に基づいて動作周波数を変更制御する第１の制御例のフローチャートである。
【図２１】画素ずらしによる高解像度化（４ｗａｙ方式）を説明する図である。
【図２２】温度センサで検知される内部温度と、画素ずらし制御での動作周波数の上限値と、画素ずらし制御の動作モードの制限と、の関係を示す表である。
【発明を実施するための形態】
【００１２】
以下、本発明に係る構成を図１から図２２に示す実施の形態に基づいて詳細に説明する。
【００１３】
（画像投影装置）
図１は、画像投影装置１の一実施形態を示す外観斜視図である。また、図２は、画像投影装置１の側面図であって、被投影面であるスクリーンＳへの投影状態を示した図である。
【００１４】
また、図３（Ａ）は、画像投影装置１の外装カバー２を外した状態を示す斜視図である。また、図３（Ｂ）は図３（Ａ）の丸囲み部分で示す光学エンジン３と光源ユニット４の拡大構成図である。
【００１５】
画像投影装置１には、投影画面の大画面化と共に、画像投影装置外に必要とされる投影空間をできるだけ小さくできることが要請されている。近年では、光学エンジン３の性能が向上し、投影距離が１〜２ｍで投影画像サイズが６０ｉｎｃｈ〜８０ｉｎｃｈを達成できる画像投影装置１が主流となってきている。
【００１６】
従来の投影距離が長い画像投影装置１の場合には、画像投影装置１とスクリーンＳの間には会議机などがあり、会議机の後ろ側に画像投影装置１を配置していたのが、近年では投影距離の短縮に伴い、会議机の前側に配置することが可能となり、画像投影装置１の背後の空間を自由に活用できるようになってきた。
【００１７】
画像投影装置１は、装置内部に光源としてのランプや多数の電子基板を備えており、起動後は時間の経過と共に、装置の内部温度が上昇する。これは画像投影装置１の筐体サイズの小型化が進む昨今では顕著であり、このため、画像投影装置１には、内部の構成部品が耐熱温度を超えないように、吸気口１６および排気口１７が設けられている。
【００１８】
また、図３に示すように、画像投影装置１は、光学エンジン３および光源ユニット４を備えている。また、図４は、照明装置である照明光学系ユニット４０、投影光学系ユニット６０、画像表示ユニット５０、および光源ユニット４の上面から見た断面図である。光学エンジン３は、照明光学系ユニット４０、画像表示ユニット５０、および投影光学系ユニット６０からなる。
【００１９】
図３に示すように、吸気口１６、排気口１７の内側には、それぞれ吸気ファン１８、排気ファン１９が設けられており、吸気ファン１８から吸入した外気を排気ファン１９から排出することで、装置内の強制気流による空冷がなされる。
【００２０】
画像投影装置１においては、光源ユニット４の光源からの光（白色光）が光学エンジン３の照明光学系ユニット４０に照射される。照明光学系ユニット４０内では、照射された白色光をＲＧＢに分光した後、レンズ、ミラー等により画像表示ユニット５０へ導き、変調信号に応じて画像形成する画像表示ユニット５０とその画像を投影光学系ユニット６０によりスクリーンＳへ拡大投影する構成となっている。
【００２１】
光源ユニット４のランプ（光源３０）としては、種々のランプを用いることができるが、例えば、高圧水銀ランプ、キセノンランプなどのアークランプを用いることができる。例えば、高圧水銀ランプを用いることが好ましい。
【００２２】
また、光源ユニット４の側面の一方向側には光源を冷却する光源用ファン２０が設けられている。光源用ファン２０は、光源ユニット４の各部が設定された定格温度範囲内の温度となるように、その回転数が制御される。また、光源ユニット４からの光の出射方向と投影光学系ユニット６０からの画像光の出射方向は、図４に示すように、略９０°の関係となっている。
【００２３】
また、光学エンジン３の照明光学系ユニット４０は、光源から照射された光を分光するカラーホイール５（回転色フィルター）と、カラーホイール５から出射した光を導くライトトンネル６と、リレーレンズ７、平面ミラー８および凹面ミラー９と、を備えている。また、照明光学系ユニット４０内には、画像表示ユニット５０が設けられる。
【００２４】
照明光学系ユニット４０では、先ず、光源からの出射光である白色光が、円盤状のカラーホイール５で単位時間毎にＲＧＢの各色が繰り返す光に変換され出射される。カラーホイール５から出射された色分離された光は、ライトトンネル６に導かれる。ライトトンネル６は、入射された光がその内部（内壁）で複数回反射され合成されることで均一化する照明均一変換光学部材である。
【００２５】
次いで、ライトトンネル６から出射された光は、２枚のレンズを組み合わせてなるリレーレンズ７により、光の軸上色収差を補正しつつ集光される。また、リレーレンズ７から出射される光は、平面ミラー８および凹面ミラー９によって反射されて、画像表示ユニット５０に集光される。画像表示ユニット５０は、複数のマイクロミラーからなる略矩形のミラー面を有し、画像データに基づいて各マイクロミラーが時分割駆動されることにより、所定の画像を形成するように投影光を加工して反射する画像表示素子としてのＤＭＤ（Digital  Micro-mirror  Device）５５１を備えている。
【００２６】
画像表示ユニット５０は、入力信号に応じてマイクロミラーのオンオフを切り替えることで投影ユニットへ光を出力する光を選別するとともに階調を表現する。すなわち、ＤＭＤ５５１により、時分割で画像データに基づいて、複数のマイクロミラーが使用する光は投影レンズへ反射され、捨てる光はＯＦＦ光板へ反射される。画像表示ユニット５０で使用する光は投影光学系ユニット６０へ反射し、投影光学系ユニット６０内の複数の投影レンズを通り拡大された画像光はスクリーンＳ上へ拡大投影される。
【００２７】
なお、照明光学系ユニット４０内部のリレーレンズ７、平面ミラー８、凹面ミラー９、画像表示ユニット５０、および投影光学系ユニット６０の入射側は、各部品を覆うように図示しないハウジングにより保持されており、かつハウジングの合せ面はシール材にて密閉された防塵構造となっている。
【００２８】
図５は、本実施形態に係る画像投影装置１の一例を示す機能ブロック図である。
【００２９】
画像投影装置１は、システム制御部１０、ランプ制御部１１、カラーホイール制御部１２、ＤＭＤ制御部１３、可動ユニット制御部１４、ファン制御部１５、リモコン受信部２２、本体操作部２３、入力端子２４、映像信号制御部２５、不揮発性メモリ２６、電源ユニット２７、温度センサ２８、ファン２９、光源３０、照明光学系ユニット４０、画像表示ユニット５０、投影光学系ユニット６０、等を備え、スクリーンＳに画像を投影する画像投影装置である。また、遠隔操作手段としてのリモコン２１を備えている。
【００３０】
システム制御部１０は、画像投影装置１の全体の制御を行う。また、入力された映像信号（入力映像）に対して、コントラスト調整、明るさ調整、シャープネス調整、スケーリング処理、フレームレート［ｆｐｓ］（リフレッシュレート［Ｈｚ］）変換、画素ずらし制御の際のフレーム生成などの画像処理や、メニュー情報などの重畳画面（ＯＳＤ：On  Screen  Display）の表示制御、その他各種制御をおこなう。
【００３１】
また、ランプ制御部１１、カラーホイール制御部１２、ＤＭＤ制御部１３、可動ユニット制御部１４、ファン制御部１５、リモコン受信部２２、本体操作部２３、映像信号制御部２５、不揮発性メモリ２６、温度センサ２８と接続されており、これらの各機能部を制御する。
【００３２】
システム制御部１０等の各制御部は、マイクロコントローラ（マイコン）で構成され、ＣＰＵ（中央演算処理ユニット）、ＲＯＭ（リードオンリーメモリ）、ＲＡＭ（ランダムアクセスメモリ）などの演算部および記憶部を有し、ＣＰＵがＲＡＭと協働してＲＯＭに記憶されているプログラム（制御プログラム）を実行することで、各部の機能が実現される。
【００３３】
入力端子２４は、映像信号を入力するインタフェースであって、Ｄ−Ｓｕｂコネクタ等のＶＧＡ（Video  Graphics  Array）入力端子やＨＤＭＩ（High-Definition  Multimedia  Interface）（登録商標）端子、Ｓ−ＶＩＤＥＯ端子、ＲＣＡ端子等のビデオ入力端子等である。入力端子２４に接続されたケーブルを介してコンピュータやＡＶ機器などの映像供給装置から映像信号を受信する。また、複数の入力端子２４を備える場合もある。
【００３４】
映像信号制御部２５は、入力端子２４に入力された映像信号を処理するものであって、例えば、当該映像信号にシリアル−パラレル変換や電圧レベル変換などの種々の処理を施す。また、映像信号の解像度や周波数などを解析する信号判定機能を有する。
【００３５】
不揮発性メモリ２６は、映像信号に対する画像処理やその他各種処理において、データを記憶する。不揮発性メモリ２６としては、例えば、ＥＰＲＯＭやＥＥＰＲＯＭ、フラッシュメモリ等の不揮発性半導体メモリを採用することができる。画像投影装置１は、電源オフ後も前回の設定内容（言語設定など）を保存しておくことができる。また、不揮発性メモリ２６には、温度センサ２８で検知される内部温度と、画素ずらし制御での駆動周波数上限値との関係を示すテーブル（図１９）や、内部温度と、画素ずらし制御での駆動周波数上限値と、画素ずらし制御の動作モードの制限との関係を示すテーブル（図２２）等、が記憶されている。
【００３６】
本体操作部２３は、画像投影装置１を操作するインタフェースであって、ユーザからの種々の操作要求を受け付ける。本体操作部２３は、操作要求を受け付けると、当該操作要求をシステム制御部１０に通知する。本体操作部２３は、画像投影装置１の外面に設けられる操作キー（操作ボタン）等によって構成される。
【００３７】
リモコン受信部２２は、リモコン２１からの操作信号を受信する。リモコン受信部２２は、操作信号を受信すると、当該操作信号をシステム制御部１０に通知する。
【００３８】
ユーザは、本体操作部２３またはリモコン２１を操作することにより、各種設定等を行うことができる。例えば、メニュー画面等の表示指示、画像投影装置１の設置状態の選択、投影画像のアスペクト比の変更要求、画像投影装置１の電源ＯＦＦ要求、光源３０の光量を変更するランプパワー変更要求、投影画像の画質（高輝度や標準、ナチュラル等）を変更する映像モード変更要求、投影画像を停止するフリーズ要求、画素ずらし制御の動作モード変換要求、画素ずらし制御のオンオフ設定、などを実行することができる。
【００３９】
ファン制御部１５は、温度センサ２８で検知される画像投影装置１の内部温度を取得し、画像投影装置１の内部温度や光源３０の温度が所定の温度となるようにファン２９を制御する。
【００４０】
電源ユニット２７は、画像投影装置１内の各デバイスに接続されており、コンセントなどから入力されたＡＣ（交流）電源をＤＣ（直流）に変換して、画像投影装置１内の各デバイスに電源を供給する。
【００４１】
温度センサ２８は、画像投影装置１内の所定位置に設けられて、装置の内部温度を検知する温度検知手段であり、温度センサ２８での検知結果（すなわち、内部温度）は、システム制御部１０に入力される。
【００４２】
ファン２９は、吸気ファン１８、排気ファン１９、光源用ファン２０等で構成される。吸気ファン１８から吸入した外気を排気ファン１９から排出することで、画像投影装置１に気流を発生させて空冷がなされる。また、光源３０の近傍には光源冷却手段としての光源用ファン２０が設けられており、内部温度に基づいて光源用ファン２０の回転量が制御される。
【００４３】
光源３０は、例えば、一対の電極間の放電により発光物質が発光する高圧水銀ランプであって、照明光学系ユニット４０に光を照射する。また、光源３０として、キセノンランプ、ＬＥＤ等を用いることもできる。また、ランプ制御部１１は、光源３０のオン／オフや点灯パワーなどを制御する。
【００４４】
光源３０から放射された光は、照明光学系ユニット４０における円盤状のカラーホイール５により単位時間毎に各色が繰り返す光に分光される。
【００４５】
カラーホイール制御部１２は、カラーホイール５の回転駆動を制御する。
【００４６】
カラーホイール５から出射した光は、ライトトンネル６、リレーレンズ７、平面ミラー８および凹面ミラー９を介して、画像表示ユニット５０における画像表示素子としてのＤＭＤ５５１に集光される。
【００４７】
画像表示ユニット５０は、固定支持されている固定ユニット５１（図６）、固定ユニット５１に対して移動可能に設けられている可動ユニット５５を有する。可動ユニット５５は、ＤＭＤ５５１を有し、可動ユニット制御部１４によって固定ユニット５１に対する位置が制御される。
【００４８】
可動ユニット５５には、駆動手段としての電磁アクチュエータ（ボイスコイル、磁石）が設けられており、可動ユニット制御部１４は、可動ユニット５５の駆動手段に流すための電流量を制御してＤＭＤ５５１のシフト量を制御する。なお、可動ユニット制御部１４によるＤＭＤ５５１のシフト制御は、本体操作部２３またはリモコン２１を操作することにより、オン／オフ可能となっている。ＤＭＤ５５１のシフト制御がオフに設定される場合は、ＤＭＤ５５１のシフトがされない通常の投影画面の表示となる。
【００４９】
ＤＭＤ５５１は、複数のマイクロミラーからなる略矩形のミラー面を有し、映像データに基づいて各マイクロミラーが時分割駆動されることにより、所定の映像を形成するように投影光を加工して反射する画像表示素子である。また、ＤＭＤ制御部１３は、ＤＭＤ５５１のマイクロミラーのオン／オフを制御する。
【００５０】
ＤＭＤ５５１により、時分割で映像データに基づいて、複数のマイクロミラーが使用する光は投影光学系ユニット６０へ反射され、捨てる光はＯＦＦ光板へ反射される。使用する光は投影光学系ユニット６０へ反射し、投影光学系ユニット６０を通り拡大された映像光はスクリーンＳ上へ拡大投影される。
【００５１】
投影光学系ユニット６０は、例えば複数の投影レンズ、ミラー等を有し、画像表示ユニット５０のＤＭＤ５５１によって生成される画像を拡大してスクリーンＳに投影する。
【００５２】
（画像表示ユニット）
図６は、画像表示ユニット５０を例示する斜視図である。また、図７は、画像表示ユニット５０を例示する側面図である。
【００５３】
図６及び図７に示されるように、画像表示ユニット５０は、固定支持されている固定ユニット５１、固定ユニット５１に対して移動可能に設けられている可動ユニット５５を有する。
【００５４】
固定ユニット５１は、第１固定板としてのトッププレート５１１、第２固定板としてのベースプレート５１２を有する。固定ユニット５１は、トッププレート５１１とベースプレート５１２とが所定の間隙を介して平行に設けられている。
【００５５】
可動ユニット５５は、ＤＭＤ５５１、第１可動板としての可動プレート５５２、第２可動板としての結合プレート５５３、ヒートシンク５５４を有し、固定ユニット５１に移動可能に支持されている。
【００５６】
可動プレート５５２は、固定ユニット５１のトッププレート５１１とベースプレート５１２との間に設けられ、固定ユニット５１によってトッププレート５１１及びベースプレート５１２と平行且つ表面に平行な方向に移動可能に支持されている。
【００５７】
結合プレート５５３は、固定ユニット５１のベースプレート５１２を間に挟んで可動プレート５５２に固定されている。結合プレート５５３は、上面側にＤＭＤ５５１が固定して設けられ、下面側にヒートシンク５５４が固定されている。結合プレート５５３は、可動プレート５５２に固定されることで、可動プレート５５２、ＤＭＤ５５１、及びヒートシンク５５４と共に固定ユニット５１に移動可能に支持されている。
【００５８】
ＤＭＤ５５１は、結合プレート５５３の可動プレート５５２側の面に設けられ、可動プレート５５２及び結合プレート５５３と共に移動可能に設けられている。ＤＭＤ５５１は、可動式の複数のマイクロミラーが格子状に配列された画像生成面を有する。ＤＭＤ５５１の各マイクロミラーは、鏡面がねじれ軸周りに傾動可能に設けられており、ＤＭＤ制御部１３から送信される画像信号に基づいてＯＮ／ＯＦＦ駆動される。
【００５９】
マイクロミラーは、例えば「ＯＮ」の場合には、光源３０からの光を投影光学系ユニット６０に反射するように傾斜角度が制御される。また、マイクロミラーは、例えば「ＯＦＦ」の場合には、光源３０からの光をＯＦＦ光板に向けて反射する方向に傾斜角度が制御される。
【００６０】
このように、ＤＭＤ５５１は、ＤＭＤ制御部１３から送信される画像信号によって各マイクロミラーの傾斜角度が制御され、光源３０から照射されて照明光学系ユニット４０を通った光を変調して投影画像を生成する。
【００６１】
ヒートシンク５５４は、拡大放熱部の一例であり、少なくとも一部分がＤＭＤ５５１に当接するように設けられている。ヒートシンク５５４は、移動可能に支持される結合プレート５５３にＤＭＤ５５１と共に設けられることで、ＤＭＤ５５１に当接して効率的に冷却することが可能になっている。このような構成により、本実施形態に係る画像投影装置１では、ヒートシンク５５４がＤＭＤ５５１の温度上昇を抑制し、ＤＭＤ５５１の温度上昇による動作不良や故障等といった不具合の発生が低減されている。
【００６２】
［固定ユニット］
図８は、固定ユニット５１を例示する斜視図である。また、図９は、固定ユニット５１を例示する分解斜視図である。
【００６３】
図８及び図９に示されるように、固定ユニット５１は、トッププレート５１１、ベースプレート５１２を有する。
【００６４】
トッププレート５１１及びベースプレート５１２は、平板状部材から形成され、それぞれ可動ユニット５５のＤＭＤ５５１に対応する位置に中央孔５１３，５１４が設けられている。また、トッププレート５１１及びベースプレート５１２は、複数の支柱５１５によって、所定の間隙を介して平行に設けられている。
【００６５】
支柱５１５は、図９に示されるように、上端部がトッププレート５１１に形成されている支柱孔５１６に圧入され、雄ねじ溝が形成されている下端部がベースプレート５１２に形成されている支柱孔５１７に挿入される。支柱５１５は、トッププレート５１１とベースプレート５１２との間に一定の間隔を形成し、トッププレート５１１とベースプレート５１２とを平行に支持する。
【００６６】
また、トッププレート５１１及びベースプレート５１２には、支持球体５２１を回転可能に保持する支持孔５２２，５２６がそれぞれ複数形成されている。
【００６７】
トッププレート５１１の支持孔５２２には、内周面に雌ねじ溝を有する円筒状の保持部材５２３が挿入される。保持部材５２３は、支持球体５２１を回転可能に保持し、位置調整ねじ５２４が上から挿入される。ベースプレート５１２の支持孔５２６は、下端側が蓋部材５２７によって塞がれ、支持球体５２１を回転可能に保持する。
【００６８】
トッププレート５１１及びベースプレート５１２の支持孔５２２，５２６に回転可能に保持される支持球体５２１は、それぞれトッププレート５１１とベースプレート５１２との間に設けられる可動プレート５５２に当接し、可動プレート５５２を移動可能に支持する。
【００６９】
図１０は、固定ユニット５１による可動プレート５５２の支持構造を説明するための図である。また、図１１は、図１０に示されるＡ部分の概略構成を例示する部分拡大図である。
【００７０】
図１０及び図１１に示されるように、トッププレート５１１では、支持孔５２２に挿入される保持部材５２３によって支持球体５２１が回転可能に保持されている。また、ベースプレート５１２では、下端側が蓋部材５２７によって塞がれている支持孔５２６によって支持球体５２１が回転可能に保持されている。
【００７１】
各支持球体５２１は、支持孔５２２，５２６から少なくとも一部分が突出するように保持され、トッププレート５１１とベースプレート５１２との間に設けられる可動プレート５５２に当接して支持する。可動プレート５５２は、回転可能に設けられている複数の支持球体５２１により、トッププレート５１１及びベースプレート５１２と平行且つ表面に平行な方向に移動可能に両面から支持される。
【００７２】
また、トッププレート５１１側に設けられている支持球体５２１は、可動プレート５５２とは反対側で当接する位置調整ねじ５２４の位置に応じて、保持部材５２３の下端からの突出量が変化する。例えば、位置調整ねじ５２４がＺ１方向に変位すると、支持球体５２１の突出量が減り、トッププレート５１１と可動プレート５５２との間隔が小さくなる。また、例えば、位置調整ねじ５２４がＺ２方向に変位すると、支持球体５２１の突出量が増え、トッププレート５１１と可動プレート５５２との間隔が大きくなる。
【００７３】
このように、位置調整ねじ５２４を用いて支持球体５２１の突出量を変化させることで、トッププレート５１１と可動プレート５５２との間隔を適宜調整できる。
【００７４】
また、図８及び図９に示されるように、トッププレート５１１のベースプレート５１２側の面には、磁石５３１，５３２，５３３，５３４が設けられている。
【００７５】
図１２は、トッププレート５１１を例示する底面図である。図１２に示されるように、トッププレート５１１のベースプレート５１２側の面には、磁石５３１，５３２，５３３，５３４が設けられている。
【００７６】
磁石５３１，５３２，５３３，５３４は、トッププレート５１１の中央孔５１３を囲むように４箇所に設けられている。磁石５３１，５３２，５３３，５３４は、それぞれ長手方向が平行になるように配置された直方体状の２つの磁石で構成され、それぞれ可動プレート５５２に及ぶ磁界を形成する。
【００７７】
磁石５３１，５３２，５３３，５３４は、それぞれ可動プレート５５２の上面に各磁石５３１，５３２，５３３，５３４に対向して設けられているコイルとで、可動プレート５５２を移動させる移動手段を構成する。
【００７８】
なお、上記した固定ユニット５１に設けられる支柱５１５、支持球体５２１の数や位置等は、可動プレート５５２を移動可能に支持できればよく、本実施形態に例示される構成に限られるものではない。
【００７９】
［可動ユニット］
図１３は、可動ユニット５５を例示する斜視図である。また、図１４は、可動ユニット５５を例示する分解斜視図である。
【００８０】
図１３及び図１４に示されるように、可動ユニット５５は、ＤＭＤ５５１、可動プレート５５２、結合プレート５５３、ヒートシンク５５４、保持部材５５５、ＤＭＤ基板５５７を有し、固定ユニット５１に対して移動可能に支持されている。
【００８１】
可動プレート５５２は、上記したように、固定ユニット５１のトッププレート５１１とベースプレート５１２との間に設けられ、複数の支持球体５２１により表面に平行な方向に移動可能に支持される。
【００８２】
図１５は、可動プレート５５２を例示する斜視図である。
【００８３】
図１５に示されるように、可動プレート５５２は、平板状の部材から形成され、ＤＭＤ基板５５７に設けられるＤＭＤ５５１に対応する位置に中央孔５７０を有し、中央孔５７０の周囲にコイル５８１，５８２，５８３，５８４が設けられている。
【００８４】
コイル５８１，５８２，５８３，５８４は、それぞれＺ１Ｚ２方向に平行な軸を中心として電線が巻き回されることで形成され、可動プレート５５２のトッププレート５１１側の面に形成されている凹部に設けられてカバーで覆われている。コイル５８１，５８２，５８３，５８４は、それぞれトッププレート５１１の磁石５３１，５３２，５３３，５３４とで、可動プレート５５２を移動させる移動手段を構成する。
【００８５】
トッププレート５１１の磁石５３１，５３２，５３３，５３４と、可動プレート５５２のコイル５８１，５８２，５８３，５８４とは、可動ユニット５５が固定ユニット５１に支持された状態で、それぞれ対向する位置に設けられている。コイル５８１，５８２，５８３，５８４に電流が流されると、磁石５３１，５３２，５３３，５３４によって形成される磁界により、可動プレート５５２を移動させる駆動力となるローレンツ力が発生する。
【００８６】
可動プレート５５２は、磁石５３１，５３２，５３３，５３４とコイル５８１，５８２，５８３，５８４との間で発生する駆動力としてのローレンツ力を受けて、固定ユニット５１に対して、ＸＹ平面において直線的又は回転するように変位する。
【００８７】
各コイル５８１，５８２，５８３，５８４に流される電流の大きさ及び向きは、可動ユニット制御部１４によって制御される。可動ユニット制御部１４は、各コイル５８１，５８２，５８３，５８４に流す電流の大きさ及び向きによって、可動プレート５５２の移動（回転）方向、移動量や回転角度等を制御する。
【００８８】
本実施形態では、第１駆動手段として、コイル５８１及び磁石５３１と、コイル５８４及び磁石５３４とが、Ｘ１Ｘ２方向に対向して設けられている。コイル５８１及びコイル５８４に電流が流されると、図１５に示されるようにＸ１方向又はＸ２のローレンツ力が発生する。可動プレート５５２は、コイル５８１及び磁石５３１と、コイル５８４及び磁石５３４とにおいて発生するローレンツ力により、Ｘ１方向又はＸ２方向に移動する。
【００８９】
また、本実施形態では、第２駆動手段として、コイル５８２及び磁石５３２と、コイル５８３及び磁石５３３とが、Ｘ１Ｘ２方向に並んで設けられ、磁石５３２及び磁石５３３は、磁石５３１及び磁石５３４とは長手方向が直交するように配置されている。このような構成において、コイル５８２及びコイル５８３に電流が流されると、図１５に示されるようにＹ１方向又はＹ２方向のローレンツ力が発生する。
【００９０】
可動プレート５５２は、コイル５８２及び磁石５３２と、コイル５８３及び磁石５３３とにおいて発生するローレンツ力により、Ｙ１方向又はＹ２方向に移動する。また、可動プレート５５２は、コイル５８２及び磁石５３２と、コイル５８３及び磁石５３３とで反対方向に発生するローレンツ力により、ＸＹ平面において回転するように変位する。
【００９１】
例えば、コイル５８２及び磁石５３２においてＹ１方向のローレンツ力が発生し、コイル５８３及び磁石５３３においてＹ２方向のローレンツ力が発生するように電流が流されると、可動プレート５５２は、上面視で時計回り方向に回転するように変位する。また、コイル５８２及び磁石５３２においてＹ２方向のローレンツ力が発生し、コイル５８３及び磁石５３３においてＹ１方向のローレンツ力が発生するように電流が流されると、可動プレート５５２は、上面視で反時計回り方向に回転するように変位する。
【００９２】
また、可動プレート５５２には、固定ユニット５１の支柱５１５に対応する位置に、可動範囲制限孔５７１が設けられている。可動範囲制限孔５７１は、固定ユニット５１の支柱５１５が挿入され、例えば振動や何らかの異常等により可動プレート５５２が大きく移動した時に支柱５１５に接触することで、可動プレート５５２の可動範囲を制限する。
【００９３】
以上で説明したように、本実施形態では、可動ユニット制御部１４が、コイル５８１，５８２，５８３，５８４に流す電流の大きさや向きを制御することで、可動範囲内で可動プレート５５２を任意の位置に移動させることができる。
【００９４】
なお、移動手段としての磁石５３１，５３２，５３３，５３４及びコイル５８１，５８２，５８３，５８４の数、位置等は、可動プレート５５２を任意の位置に移動させることが可能であれば、本実施形態とは異なる構成であってもよい。例えば、移動手段としての磁石は、トッププレート５１１の上面に設けられてもよく、ベースプレート５１２の何れかの面に設けられてもよい。また、例えば、磁石が可動プレート５５２に設けられ、コイルがトッププレート５１１又はベースプレート５１２に設けられてもよい。
【００９５】
また、可動範囲制限孔５７１の数、位置及び形状等は、本実施形態に例示される構成に限られない。例えば、可動範囲制限孔５７１は一つであってもよく、複数であってもよい。また、可動範囲制限孔５７１の形状は、例えば長方形や円形等、本実施形態とは異なる形状であってもよい。
【００９６】
固定ユニット５１によって移動可能に支持される可動プレート５５２の下面側（ベースプレート５１２側）には、図１３に示されるように、結合プレート５５３が固定されている。結合プレート５５３は、平板状部材から形成され、ＤＭＤ５５１に対応する位置に中央孔を有し、周囲に設けられている折り曲げ部分が３本のねじ５９１によって可動プレート５５２の下面に固定されている。
【００９７】
図１６は、可動プレート５５２が外された可動ユニット５５を例示する斜視図である。
【００９８】
図１６に示されるように、結合プレート５５３には、上面側にＤＭＤ５５１、下面側にヒートシンク５５４が設けられている。結合プレート５５３は、可動プレート５５２に固定されることで、ＤＭＤ５５１、ヒートシンク５５４と共に、可動プレート５５２に伴って固定ユニット５１に対して移動可能に設けられている。
【００９９】
ＤＭＤ５５１は、ＤＭＤ基板５５７に設けられており、ＤＭＤ基板５５７が保持部材５５５と結合プレート５５３との間で挟み込まれることで、結合プレート５５３に固定されている。保持部材５５５、ＤＭＤ基板５５７、結合プレート５５３、ヒートシンク５５４は、図１４及び図１６に示されるように、固定部材としての段付ねじ５６０及び押圧手段としてのばね５６１によって重ねて固定されている。
【０１００】
図１７は、可動ユニット５５のＤＭＤ保持構造について説明する図である。図１７は、可動ユニット５５の側面図であり、可動プレート５５２及び結合プレート５５３は図示が省略されている。
【０１０１】
図１７に示されるように、ヒートシンク５５４は、結合プレート５５３に固定された状態で、ＤＭＤ基板５５７に設けられている貫通孔からＤＭＤ５５１の下面に当接する突出部５５４ａを有する。なお、ヒートシンク５５４の突出部５５４ａは、ＤＭＤ基板５５７の下面であって、ＤＭＤ５５１に対応する位置に当接するように設けられてもよい。
【０１０２】
また、ＤＭＤ５５１の冷却効果を高めるために、ヒートシンク５５４の突出部５５４ａとＤＭＤ５５１との間に弾性変形可能な伝熱シートが設けられてもよい。伝熱シートによりヒートシンク５５４の突出部５５４ａとＤＭＤ５５１との間の熱伝導性が向上し、ヒートシンク５５４によるＤＭＤ５５１の冷却効果が向上する。
【０１０３】
上記したように、保持部材５５５、ＤＭＤ基板５５７、ヒートシンク５５４は、段付きねじ５６０及びばね５６１によって重ねて固定されている。段付きねじ５６０が締められると、ばね５６１がＺ１Ｚ２方向に圧縮され、図１７に示されるＺ１方向の力Ｆ１がばね５６１から生じる。ばね５６１から生じる力Ｆ１により、ヒートシンク５５４はＺ１方向に力Ｆ２でＤＭＤ５５１に押圧されることとなる。
【０１０４】
本実施形態では、段付きねじ５６０及びばね５６１は４箇所に設けられており、ヒートシンク５５４にかかる力Ｆ２は、４つのばね５６１に生じる力Ｆ１を合成したものに等しい。また、ヒートシンク５５４からの力Ｆ２は、ＤＭＤ５５１が設けられているＤＭＤ基板５５７を保持する保持部材５５５に作用する。この結果、保持部材５５５には、ヒートシンク５５４からの力Ｆ２に相当するＺ２方向の反力Ｆ３が生じ、保持部材５５５と結合プレート５５３との間でＤＭＤ基板５５７を保持できるようになる。
【０１０５】
段付きねじ５６０及びばね５６１には、保持部材５５５に生じる力Ｆ３からＺ２方向の力Ｆ４が作用する。ばね５６１は、４箇所に設けられているため、それぞれに作用する力Ｆ４は、保持部材５５５に生じる力Ｆ３の４分の１に相当し、力Ｆ１と釣り合うこととなる。
【０１０６】
また、保持部材５５５は、図１７において矢印Ｂで示されるように撓むことが可能な部材で板ばね状に形成されている。保持部材５５５は、ヒートシンク５５４の突出部５５４ａに押圧されて撓み、ヒートシンク５５４をＺ２方向に押し返す力が生じることで、ＤＭＤ５５１とヒートシンク５５４との接触をより強固に保つことができる。
【０１０７】
可動ユニット５５は、以上で説明したように、可動プレート５５２と、ＤＭＤ５５１及びヒートシンク５５４を有する結合プレート５５３とが、固定ユニット５１によって移動可能に支持されている。可動ユニット５５の位置は、可動ユニット制御部１４によって制御される。また、可動ユニット５５には、ＤＭＤ５５１に当接するヒートシンク５５４が設けられており、ＤＭＤ５５１の温度上昇に起因する動作不良や故障といった不具合の発生が防止されている。
【０１０８】
（画素ずらし（ＤＭＤシフト））
上述のように、画像投影装置１において投影画像を生成するＤＭＤ５５１は、可動ユニット５５に設けられており、可動ユニット制御部１４によって可動ユニット５５と共に位置が制御される。
【０１０９】
可動ユニット制御部１４は、例えば、画像投影時にフレームレートに対応する所定の周期で、ＤＭＤ５５１の複数のマイクロミラーの配列間隔未満の距離だけ離れた複数の位置の間を高速移動するように可動ユニット５５の位置を制御する。このとき、ＤＭＤ制御部１３は、それぞれの位置に応じてシフトした投影画像を生成するようにＤＭＤ５５１に画像信号を送信する。また、可動ユニット５５の位置は、例えば、光センサや磁気センサなどの位置検出手段により検出可能となっている。
【０１１０】
可動ユニット制御部１４は、Ｘ１Ｘ２方向及びＹ１Ｙ２方向にＤＭＤ５５１のマイクロミラーの配列間隔未満の距離だけ離れた位置Ａと位置Ｂとの間で、ＤＭＤ５５１を所定の周期で往復移動させる。このとき、ＤＭＤ制御部１３が、それぞれの位置に応じてシフトした投影画像を生成するようにＤＭＤ５５１を制御することで、投影画像の解像度を、ＤＭＤ５５１の解像度の約２倍にすることが可能になる。
【０１１１】
このように、可動ユニット制御部１４が可動ユニット５５と共にＤＭＤ５５１を所定の周期で移動させ、ＤＭＤ制御部１３がＤＭＤ５５１に位置に応じた投影画像を生成させることで、ＤＭＤ５５１の解像度以上の画像を投影することが可能になる。
【０１１２】
図１８は、画素ずらし（以下、ＤＭＤシフトともいう）にて半画素分シフトした画素の表示状態のイメージを示した説明図である。
【０１１３】
図１８（Ａ）は、表示位置をシフトしない状態（シフト前の状態、第１位置）である各画素Ｓ１を示しており、各画素のサイズはＸＬ×ＹＬとなっている。また、図１８（Ｂ）は、半画素分（ＸＬ／２，ＹＬ／２）シフトされた状態（第２位置）であるの各画素Ｓ２を示している。このように、斜め方向で２つの状態にシフトさせる方式を２ｗａｙ方式と呼ぶ。なお、ここでは、シフト量を半画素分としているが、シフト量は半画素分に限られるものではない。
【０１１４】
そして、２つの画像を合成、すなわち、交互に各画素での映像を投影することにより、図１８（Ｃ）に示すように、擬似的に高解像度することが可能となる。この画素ずらし制御において、システム制御部１０では、入力された映像信号（１フレーム）に対して、第１位置のフレームと第２位置のフレームとの２つのフレームを生成するとともに、可動ユニット制御部１４にて可動ユニット５５のＤＭＤ５５１を斜め方向にシフトさせて、図１８（Ｃ）に示すように、半画素ずらした状態で投影することにより、高解像度化を実現する。
【０１１５】
この画素ずらし制御において、入力映像のリフレッシュレートと見た目を同じにするには、入力映像の２倍の速度でフレームを投影する必要がある。例えば、入力映像のリフレッシュレートが６０Ｈｚ（フレームレートが６０ｆｐｓ）の場合は、第１位置と第２位置の各フレームの投影（１往復分の投影）は、画素ずらし制御で可動ユニット５５を駆動させる動作周波数（駆動周波数）を１２０Ｈｚとして画像投影をする必要があり、高速な画像処理が必要となる。
【０１１６】
（内部温度に応じた画素ずらし制御）
上述したように、ＤＭＤ５５１が固定される結合プレート５５３の下面側には、ヒートシンク５５４が固定されており、ヒートシンク５５４は、ＤＭＤ５５１の温度上昇を抑制し、ＤＭＤ５５１の温度上昇による動作不良や故障等といった不具合の発生を低減させる。
【０１１７】
しかしながら、ＤＭＤ５５１をシフトさせて画素ずらし制御をする場合、ＤＭＤ自体だけでなく、固定ユニット５１に対して高速で可動ユニット５５を変位させるため、その摩擦に起因する発熱等、画像表示ユニット５０自体からの発熱がある。また、特に、入力映像のリフレッシュレートが高く、各フレームを高速で投影する場合は、画素ずらし制御の動作周波数が高くなるため、駆動手段（電磁アクチュエータ）に流す電流量が多くなり、コイル等からの発熱が多くなる。
【０１１８】
このため、画素ずらし制御の際、画像表示ユニット５０からの発熱により、画像投影装置１の内部温度が上昇する。特に、画像投影装置１の内部温度がすでに高い場合などは、画素ずらし制御の際の画像表示ユニット５０からの発熱により、画像投影装置１の内部温度がさらに上昇してしまう。このため、ファン２９の回転数を上げる必要があり、騒音が大きくなってしまう。
【０１１９】
これに対し、画像表示ユニット５０を直接冷却するための専用の冷却手段を設けることを考えられるが、この場合、部品点数の増加により高コスト化に繋がってしまうとともに、省スペース化を図ることが難しく、画像投影装置１の小型化の障壁となってしまう。
【０１２０】
そこで、本実施形態に係る画像投影装置（画像投影装置１）は、光源（光源３０）からの光を用いて画像を形成する変調素子（ＤＭＤ５５１）と、該変調素子を所定範囲内で周期的に変位させる駆動手段（可動ユニット５５を駆動させる電磁アクチュエータ）と、画像投影装置の内部温度を検知する温度検知手段（温度センサ２８）と、温度検知手段が検知した内部温度に基づいて、駆動手段の駆動量を制御する制御手段（システム制御部１０および可動ユニット制御部１４）と、を備えるものである。なお、括弧内は実施形態での符号、適用例を示す。
【０１２１】
［第１の制御例］
先ず、図１８に示したＤＭＤ５５１を斜め方向で２つの状態にシフトさせる動作モード（２ｗａｙ方式）の場合に、温度センサ２８で検知した内部温度に基づいて、画素ずらし制御の動作周波数を変更制御する第１の制御例について説明する。
【０１２２】
図１９は、温度センサ２８で検知される内部温度と、画素ずらし制御での動作周波数の上限値との関係を示す表である。上記のように、この表（テーブル）は、不揮発性メモリ２６に記憶されている。また、図２０は、内部温度に基づいて動作周波数を変更制御する第１の制御例のフローチャートである。
【０１２３】
先ず、システム制御部１０は、温度センサ２８での検知結果である内部温度を取得する（Ｓ１０１）。なお、内部温度の取得間隔は、特に限られるものではないが、所定間隔で取得されるものであればよい。
【０１２４】
次いで、システム制御部１０は、画素ずらし制御による画像投影がされている状態であるかを判断し（Ｓ１０２）、画素ずらし制御中である場合（Ｓ１０２：Ｙｅｓ）は、不揮発性メモリ２６に記憶されている内部温度と動作周波数の上限値との関係を示すテーブル（図１９）を読み出して、これを参照する。
【０１２５】
そして、検出された内部温度に該当する画素ずらし制御の動作周波数の上限値にて、画素ずらし制御を実行する（Ｓ１０３）。システム制御部１０は、画素ずらし制御の動作周波数の上限値を可動ユニット制御部１４に通知して、可動ユニット制御部１４はこれに従って可動ユニット５５を制御する。なお、可動ユニット制御部１４にて、Ｓ１０１〜Ｓ１０３の処理を行うものであってもよい。一方、画素ずらし制御による画像投影がされていない状態である場合（Ｓ１０２：Ｎｏ）は、Ｓ１０３の処理は実行されない。
【０１２６】
Ｓ１０３の処理の詳細について説明する。例えば、入力映像が４Ｋ、リフレッシュレート６０Ｈｚ（フレームレート６０ｆｐｓ）の映像信号である場合、２ｗａｙ方式での画素ずらし制御における動作周波数の上限値は、上述のように１２０Ｈｚとなる。なお、上限値としているのは、映像信号のフレームレートが小さくなる場合には、これに対応させて、画素ずらし制御における動作周波数も小さくなるように制御するためである。
【０１２７】
そして、温度センサ２８で内部温度を検知した結果、（４）内部温度が４５℃以下であった場合、画素ずらし制御での動作周波数の上限値は１２０Ｈｚであるため、そのまま動作周波数の上限値を１２０Ｈｚとして動作させる。内部温度が高くない場合は、ファン２９の駆動量も少ないため、画素ずらし制御も、上限の動作周波数にて動作させている。
【０１２８】
これに対し、（３）内部温度が４６℃〜５０℃であった場合、画素ずらし制御での動作周波数の上限値は６０Ｈｚであるため、これに対応させるために、システム制御部１０は、入力映像のリフレッシュレートを６０Ｈｚから３０Ｈｚ（フレームレート３０ｆｐｓ）に変換して、画素ずらし制御での動作周波数の上限値は６０Ｈｚで動作させる。なお、フレームレートの変換には、ＤＭＤ制御部１３でのＤＭＤ５５１のミラーオンオフ制御や、カラーホイール制御部１２でのカラーホイール５の制御、なども併せて必要となるため、これら必要な制御も併せて実施される。
【０１２９】
また、（２）内部温度が５１℃〜５５℃であった場合、画素ずらし制御での動作周波数の上限値は４８Ｈｚであるため、システム制御部１０は、入力映像のリフレッシュレートを３０Ｈｚから２４Ｈｚ（フレームレート２４ｆｐｓ）に変換して、画素ずらし制御での動作周波数の上限値は４８Ｈｚで動作させる。
【０１３０】
また、（１）内部温度が５６℃以上であった場合、システム制御部１０および可動ユニット制御部１４等は、画素ずらし制御を停止させて、画素ずらし制御をしないＤＭＤ５５１のそのままの解像度で投影する。
【０１３１】
このように、本実施形態では、高解像度化のための画素ずらし制御の際に、画像投影装置１の使用環境などにより内部温度が高くなっている場合、画素ずらし制御の動作周波数を低下させる（動作速度を落とす）、もしくは画素ずらし制御自体を停止させることで、画像表示ユニット５０からの発熱量を低減させるものである。よって、画像投影装置１の内部温度の更なる上昇を抑え、ファン２９による騒音を抑制することができる。
【０１３２】
なお、図１９に示した内部温度の温度区分数や、区分の境界とする温度等は、一例であってこれに限られるものではない。また、画像投影装置１での画像投影では、フレームレートを６０ｆｐｓ，３０ｆｐｓ等とすることが一般的であるが、フレームレート、および、これに基づく画素ずらし制御における動作周波数もこれに限られるものではない。
【０１３３】
また、温度センサ２８としては、画像投影装置１がその他の制御用に既に備える温度センサを用いることが好ましいが、本発明に係る制御用の温度センサを有するものであってもよい。この場合、例えば、画像表示ユニット５０の近傍位置に温度センサを設け、この検出結果に基づいて、上記制御をすることが好ましい。また、画像投影装置１が複数の温度センサを備える場合は、複数の温度センサの検知結果を用いて判断してもよい。
【０１３４】
［第２の制御例］
温度センサ２８で検知した内部温度に基づいて、画素ずらし制御の動作周波数を変更制御する第２の制御例について説明する。第１の制御例と同一の点についての説明は省略する。
【０１３５】
図２１は、画素ずらし制御にて、ＤＭＤ５５１を水平方向および垂直方向にシフトさせて、計４つの状態にする動作モード（４ｗａｙ方式という）の画素の表示状態のイメージを示した説明図である。なお、ここでは、画像投影装置１は、２ｗａｙ方式と４ｗａｙ方式の２つの動作モードを選択的に実施可能な場合を例に説明するが、いずれかの方式のみを実行可能であってもよい。
【０１３６】
図２１（Ａ）は、表示位置をシフトしない状態（シフト前の状態、第１位置）である各画素Ｓ１を示している。また、図２１（Ｂ）は、垂直方向（図の下方向）にシフトされた状態（第２位置）であるの各画素Ｓ２、図２１（Ｃ）は、そこから水平方向（図の右方向）にシフトされた状態（第３位置）であるの各画素Ｓ３、図２１（Ｄ）は、そこから垂直方向（図の上方向）にシフトされた状態（第４位置）であるの各画素Ｓ４、を示している。第４位置から、水平方向（図の左方向）にシフトして、第１位置に戻る。
【０１３７】
そして、４つの画像を合成、すなわち、各画素での映像を高速で投影することにより、図２１（Ｅ）に示すように、擬似的に高解像度することが可能となる。
【０１３８】
このように画素を４つの位置を周回するようにシフトさせる４ｗａｙ方式において、システム制御部１０では、入力された映像信号（１フレーム）に対して、第１位置〜第４位置の４つのフレームを生成するとともに、可動ユニット制御部１４にて可動ユニット５５を変位させて、ＤＭＤ５５１を第１位置→第２位置→第３位置→第４位置の順番になるように、水平方向、垂直方向にシフトさせながら投影することにより、高解像度化を実現する。
【０１３９】
この画素ずらし制御において、入力映像のリフレッシュレートと見た目を同じにするには、入力映像の４倍の速度でフレームを投影する必要がある。例えば、入力映像のフレームレートが６０Ｈｚ（フレームレートが６０ｆｐｓ）の場合は、第１位置〜第４位置の各フレームの投影は、可動ユニット５５を駆動させる動作周波数を２４０Ｈｚとして、画像投影をする必要があり、より高速な画像処理が必要となる。
【０１４０】
図２２は、温度センサ２８で検知される内部温度と、画素ずらし制御での動作周波数の上限値と、画素ずらし制御の動作モードの制限と、の関係を示す表である。上記のように、この表（テーブル）は、不揮発性メモリ２６に記憶されている。
【０１４１】
処理のフローは、第１の実施形態と同様である（図２０参照）。第２の制御例でのＳ１０３の処理の詳細を説明する。例えば、入力映像が４Ｋ、リフレッシュレート６０Ｈｚ（フレームレート６０ｆｐｓ）の映像信号である場合、４ｗａｙ方式での画素ずらし制御における動作周波数の上限値は、２４０Ｈｚとなる。
【０１４２】
そして、温度センサ２８で内部温度を検知した結果、（５）内部温度が４０℃以下であった場合、画素ずらし制御での動作周波数の上限値は２４０Ｈｚであり、動作モードの制限もないため、そのまま動作周波数の上限値を４ｗａｙ方式の２４０Ｈｚとして動作させる。このように内部温度が高くない場合は、ファン２９の駆動量も少ないため、画素ずらし制御については、４ｗａｙ方式で上限の動作周波数にて動作させる。
【０１４３】
これに対し、（４）内部温度が４１℃〜４５℃であった場合、画素ずらし制御での動作周波数の上限値は１２０Ｈｚであり、動作モードの制限がないため、４ｗａｙ方式とする場合は、システム制御部１０は、入力映像のリフレッシュレートを３０Ｈｚ（フレームレート３０ｆｐｓ）に変換し、さらに、画素ずらし制御での動作周波数の上限値を１２０Ｈｚで動作させる。また、２ｗａｙ方式とする場合は、入力映像のリフレッシュレートを６０Ｈｚ（フレームレート６０ｆｐｓ）のままとし、画素ずらし制御での動作周波数の上限値を１２０Ｈｚで動作させる。
【０１４４】
また、（３）内部温度が４６℃〜５０℃であった場合は、画素ずらし制御での動作周波数の上限値は６０Ｈｚであり、動作モードが２ｗａｙ方式のみであるため、システム制御部１０は、入力映像のリフレッシュレートを３０Ｈｚ（フレームレート３０ｆｐｓ）に変換し、画素ずらし制御での動作周波数の上限値を６０Ｈｚで動作させる。
【０１４５】
また、（２）内部温度が５１℃〜５５℃であった場合は、画素ずらし制御での動作周波数の上限値は４８Ｈｚであり、かつ、動作モードが２ｗａｙ方式のみであるため、システム制御部１０は、入力映像のリフレッシュレートを３０Ｈｚから２４Ｈｚ（フレームレート２４ｆｐｓ）に変換し、画素ずらし制御での動作周波数の上限値を４８Ｈｚで動作させる。
【０１４６】
さらに、（１）内部温度が５６℃以上であった場合は、システム制御部１０および可動ユニット制御部１４は、画素ずらし制御を停止させて、画素ずらし制御をしないＤＭＤ５５１のそのままの解像度で投影する。
【０１４７】
このように、本実施形態では、２ｗａｙ方式および４ｗａｙ方式の２つの動作モードで高解像度化する画素ずらし制御が可能な画像投影装置１において、画像投影装置１の使用環境などにより内部温度が高くなった場合、使用可能な動作モードを制限するとともに、画素ずらし制御の動作周波数を低下させる（動作速度を落とす）、もしくは画素ずらし制御自体を停止させることで、画像表示ユニット５０からの発熱量を低減させるものである。よって、画像投影装置１の内部温度の更なる上昇を抑え、ファン２９による騒音を抑制することができる。
【０１４８】
なお、上記実施形態では、画像投影装置１は、ＤＬＰ(Digital Light Processing)方式のプロジェクタを例に説明したが、これに限られるものではなく、他の方式であっても、画像表示素子をシフト制御させる構成であれば、本発明を適用することができる。
【０１４９】
また、上記実施形態では、水平置きのプロジェクタを例に説明したが、光学の反射を利用した縦置きの超短焦点型プロジェクタにおいても、本発明を適用することができる。
【０１５０】
また、上記実施形態では、画像表示素子の駆動手段として、電磁アクチュエータ（電磁駆動手段）を用いた例を説明しているが、画像表示素子の駆動手段は、これにかぎられるものではない。
【０１５１】
尚、上述の実施形態は本発明の好適な実施の例ではあるがこれに限定されるものではなく、本発明の要旨を逸脱しない範囲において種々変形実施可能である。
【符号の説明】
【０１５２】
１  画像投影装置
２  外装カバー
３  光学エンジン
４  光源ユニット
５  カラーホイール
６  ライトトンネル
７  リレーレンズ
８  平面ミラー
９  凹面ミラー
１０  システム制御部
１１  ランプ制御部
１２  カラーホイール制御部
１３  ＤＭＤ制御部
１４  可動ユニット制御部
１５  ファン制御部
１６  吸気口
１７  排気口
１８  吸気ファン
１９  排気ファン
２０  光源用ファン
２１  リモコン
２２  リモコン受信部
２３  本体操作部
２４  入力端子
２５  映像信号制御部
２６  不揮発性メモリ
２７  電源ユニット
２８  温度センサ
２９  ファン
３０  光源
４０  照明光学系ユニット
５０  画像表示ユニット
５１  固定ユニット
５５  可動ユニット
５５１  ＤＭＤ
６０  投影光学系ユニット
Ｓ  スクリーン
【先行技術文献】
【特許文献】
【０１５３】
【特許文献１】特開２００７−２４８７２１号公報
【特許文献２】特許第４１５１５２１号公報
【図１】
2017227715.tif 000003
【図２】
2017227715.tif 000004
【図３】
2017227715.tif 000005
【図４】
2017227715.tif 000006
【図５】
2017227715.tif 000007
【図６】
2017227715.tif 000008
【図７】
2017227715.tif 000009
【図８】
2017227715.tif 000010
【図９】
2017227715.tif 000011
【図１０】
2017227715.tif 000012
【図１１】
2017227715.tif 000013
【図１２】
2017227715.tif 000014
【図１３】
2017227715.tif 000015
【図１４】
2017227715.tif 000016
【図１５】
2017227715.tif 000017
【図１６】
2017227715.tif 000018
【図１７】
2017227715.tif 000019
【図１８】
2017227715.tif 000020
【図１９】
2017227715.tif 000021
【図２０】
2017227715.tif 000022
【図２１】
2017227715.tif 000023
【図２２】
2017227715.tif 000024